(57)【要約】      （修正有）【課題】円板型記録メディア（ディスク）を暫時的に仮置きするような場合にも面倒なく、またディスクの記録面に傷を付けないように保護しつつ保持できるようにしたディスクカバーを提供する。【解決手段】ディスク１００における記録面１０１の全面を覆うことのできる大きさで形成された扁平なトレー部３と、このトレー部３上へ重ね合わされるディスク１００に対して横ズレを阻止する状態に当接可能な位置決め手段４と、仮置き時に支脚として作用する張出部２５とを有している。【選択図】図１
0003142107.tif 000002
【実用新案登録請求の範囲】
【請求項１】
円板型記録メディアにおける記録面（１０１）の全面を覆うことのできる大きさで形成された扁平なトレー部（３）と、このトレー部（３）上へ重ね合わされる円板型記録メディアに対して横ズレを阻止する状態に当接可能な位置決め手段（４）とを有しており、
前記トレー部（３）には、外周側へ張り出した張出部（２５）が設けられていることを特徴とするディスクカバー。
【請求項２】
前記位置決め手段（４）は、トレー部（３）から膨出状態に設けられて円板型記録メディアに形成された中央孔（１０３）に嵌合可能となるセンターボス（５）であることを特徴とする請求項１記載のディスクカバー。
【請求項３】
前記センターボス（５）は、円板型記録メディアの中央孔（１０３）が嵌合されたときに当該中央孔（１０３）から突出可能な膨出高さに形成されており、このセンターボス（５）の裏側には、中央孔（１０３）からの突出量を吸収可能な嵌合凹部（２３）が形成されていることを特徴とする請求項２記載のディスクカバー。
【請求項４】
前記センターボス（５）には、円板型記録メディアの中央孔（１０３）が嵌められたときに当該中央孔（１０３）から突出する部分とセンターボス（５）の裏側に形成された嵌合凹部（２３）との間で係脱自在となる係合手段（３０）が設けられていることを特徴とする請求項３記載のディスクカバー。
【請求項５】
前記トレー部（３）には、上部に重ね合わされる円板型記録メディアの記録面（１０１）以外の部分を支持して、記録面（１０１）をトレー部（３）上へ浮上保持可能にする支持台部（１０）（１１）が設けられていることを特徴とする請求項１乃至請求項４のいずれか１項に記載のディスクカバー。
【請求項６】
前記トレー部（３）には、上部に重ね合わせた円板型記録メディアの厚みを超えて突出する表側係合部（４０）と、この表側係合部（４０）に対して係脱自在となる裏側係合部（４１）とが設けられていることを特徴とする請求項１乃至請求項５のいずれか１項に記載のディスクカバー。
【考案の詳細な説明】
【技術分野】
【０００１】
本考案は、円板型記録メディアの取り扱いにおいて好適に使用することのできるディスクカバーに関する。
なお、本明細書において「円板型記録メディア」はＣＤやＣＤ−Ｒ、ＣＤ−ＲＷ、或いはＤＶＤなど、円形であり、且つ、板状であるものに限定するので、その形体から以下では「ディスク」と換言することとする。
【背景技術】
【０００２】
ディスクをボックス型のケースに格納する場合などには、まずディスクを個別のディスク収納ケースに収納してから、このディスク収納ケースを複数枚まとめてボックス型のケースへ格納するのが一般的である。
このような場合に用いるディスク収納ケースとして、ゴムやエラストマーなどの弾性材により形成された扁平なケース表面に、ディスクの外周全周を取り囲む状態で円弧状に形成された突条（リブ状のもの）が設けられたものが知られている（特許文献１参照）。
このディスク収納ケースは、突条の周方向複数箇所から径方向内方へ張り出すようにして係合部が設けられたものとなっており、この係合部や突条を弾性変形させることによってディスクの周縁部を係合保持させたり、離脱させたりできるようになっている。
【０００３】
なお、ケース表面にディスクの記録面が面接触したとしても、ケース自体が弾性材製であることから傷付きを防止できるものとされている。
【特許文献１】特開２００５−２２７２８号公報
【考案の開示】
【考案が解決しようとする課題】
【０００４】
従来公知のこの種のディスク収納ケースは、そもそも、ディスクを収納することが主目的であり、それ故、ディスクをしっかりと係合させた状態に保持させることが前提である。
そのため、ディスク収納ケースに対するディスクの収納や取り出しにはある種の要領が必要であり、また多少なりとも係合や離脱のための操作力（係合部や突条の弾性変形）が必要となっている。
しかしながら、コンピューターや音楽機器等（以下「コンピューター等」と言う）の使用時に、その作業進行に伴いつつ、コンピューター等に対してディスクを何度も出し入れするような場合、コンピューター等から取り出したディスクを、いちいちディスク収納ケースへ係合保持状態に収納させたり、或いはディスク収納ケースから取り出したりする行為は、面倒であり、その作業進行にとって非常に煩わしいものとなっていた。
【０００５】
なお、従来のディスク収納ケースは、ゴムやエラストマーなどの弾性材によって形成されていたため、柔軟性が豊富で、却って扱い難いという面があった。またその素材ゆえに、ケース形体が扁平ではあっても重量的にズッシリとした存在感があり、持ち運びや郵送などに関して不都合があった。
本考案は、上記事情に鑑みてなされたものであって、ディスクを暫時的に仮置きするような場合にも面倒なく、またディスクの記録面に傷を付けないように保護しつつ保持できるようにしたディスクカバーを提供することを目的とする。
【０００６】
また本考案は、それ自体、扱いが容易であり、重量的な不都合も生じないディスクカバーを提供することを目的とする。
【課題を解決するための手段】
【０００７】
前記目的を達成するために、本考案は次の手段を講じた。
即ち、本考案に係るディスクカバーは、ディスク（＝「円板型記録メディア」：以下同じ）における記録面の全面を覆うことのできる大きさで形成された扁平なトレー部と、このトレー部上へ重ね合わされるディスクに対して横ズレを阻止する状態に当接可能な位置決め手段とを有しており、トレー部には、外周側へ張り出した張出部を設けることができる。
このように、本考案に係るディスクカバーはトレー部に対してディスクを重ね合わせるように使用するものであって、この重ね合わせ状態が位置決め手段によって横ズレしないよう保持されるので、暫時的な仮置きなどに好適に使用できる。
【０００８】
また、このような張出部は、例えば本考案に係るディスクカバーを他の物に立て掛けるような場合に、転がり防止の役目としたり、支脚の役目としたりできるものである。そして、本考案に係るディスクカバー同士を重ねて、且つ、各ディスクカバーを一時的に係合一体化させるといった使い方をする場合にも、転がり防止や支脚として有益に利用できる。
さらに、張出部の形状、色、表示、形成数、配置などを異ならせることで、本考案に係るディスクカバー同士を重ねた場合において、ディスクカバーごとのインデックスとして使用することもできる。
【０００９】
位置決め手段は、トレー部から膨出状態に設けられてディスクに形成された中央孔に嵌合可能となるセンターボスとすることができる。
このようなセンターボスは、トレー部に対してディスクを係合保持させる場合の構造として簡潔化できる点で好適であり、またこのときの係合や離脱のための操作として容易且つ安定する位置である点で好適である。
センターボスは、ディスクの中央孔が嵌合されたときに当該中央孔から突出可能な膨出高さに形成されており、このセンターボスの裏側には、中央孔からの突出量を吸収可能な嵌合凹部が形成されたものとするのが好適である。
【００１０】
このようにすることで、センターボスにディスクの中央孔が嵌合した状態のまま、本考案に係るディスクカバー同士を重ねた場合、各ディスクカバー間においてセンターボス同士が干渉してガタツクといったことがない。そのため、安定し且つ密なる重ね合わせ状態にでき、省スペース化に有益となる。
センターボスには、ディスクの中央孔が嵌められたときに、当該中央孔から突出する部分とセンターボスの裏側に形成された嵌合凹部との間で係脱自在となる係合手段を設けることができる。
【００１１】
このようにすることで、センターボスにディスクの中央孔が嵌合した状態のまま、本考案に係るディスクカバー同士を重ねた場合、各ディスクカバーを一時的に係合一体化させるといった使い方ができ、便利である。
トレー部には、上部に重ね合わされるディスクの記録面以外の部分（後述する「外周側非記録領域」や「中央側非記録領域」を言う）を支持して、記録面をトレー部上へ浮上保持可能にする支持台部を設けることができる。
このようにすることで、ディスクの記録面に対してトレー部による擦過傷を生じさせるおそれがなく、好適である。
【００１２】
トレー部には、上部に重ね合わせたディスクの厚みを超えて突出する表側係合部と、この表側係合部に対して係脱自在となる裏側係合部とを設けるようにしてもよい。
これら表側係合部と裏側係合部とによる係合関係は、上記したセンターボス同士の間で設ける係合手段の代用として採用したり、又は係合手段と並行して採用したりできるものである。
これら表側係合部と裏側係合部とによる係合関係は、本考案に係るディスクカバー同士を重ねた場合に、各ディスクカバーを回り止めできる点で、上記したセンターボス同士の間で設ける係合手段とは別の利点を生じさせることができる。
【考案の効果】
【００１３】
本考案に係るディスクカバーは、ディスクを暫時的に仮置きするような場合にも面倒なく、またディスクの記録面に傷を付けないように保護しつつ保持することができる。また、ディスクカバーとしての扱いが容易であり、重量的な不都合も生じない。
【考案を実施するための最良の形態】
【００１４】
以下、本考案の実施の形態を、図面に基づき説明する。
なお、ディスク１００は、円板型の一方の面を記録面１０１とし、他方の面を印刷面やラベル貼着面等として形成された表示面１０２とするものであり、円板型の中心部には、コンピューター１０５等のドライブ装置と係合させて回転力を受けるようにするための中央孔１０３が形成されている。これらディスク１００に関する構造上の諸事情は周知のことである。
また記録面１０１には、円板型の外周縁を縁取るようにして外周側非記録領域が形成されていると共に、中央孔１０３の開口周部を取り囲むようにして中心側非記録領域が形成されているのが一般的である。
［第１実施形態］
図１乃至図７は、本考案に係るディスクカバー１の第１実施形態を示している。このディスクカバー１は、図１に示すように、ディスク１００における記録面１０１の全面を覆うことのできる大きさで形成された扁平なトレー部３を有したものであって、このトレー部３に対してディスク１００を重ね合わせる（重ね置く）ようにして使用する。
【００１５】
またこのディスクカバー１は、トレー部３上へディスク１００を重ね合わせたとき、このディスク１００と当接することによってその横ズレを阻止する位置決め手段４を有している。
本第１実施形態においてトレー部３は、その平面視形状がディスク１００と同大同形状を呈するものとしてある。なお、トレー部３の形成素材にはＡＢＳ樹脂やポリカーボネイト、ポリエチレン等を使用することができる。
また位置決め手段４は、トレー部３の中央部で膨出するセンターボス５に対し、ディスク１００の中央孔１０３を嵌合させることで構成させるものとしてある。
【００１６】
従って例えば、図２に示すように、机上にてコンピューター１０５を使用している過程で、コンピューター１０５側のドライブ装置（ディスクトレイ１０６）に対してディスク１００を出し入れするような場合、コンピューター１０５から取り出したディスク１００をそのまま本考案に係るディスクカバー１上（トレー部３上）へ仮置きすればよいだけである。
ディスク１００をトレー部３上へ重ね合わせた状態は、位置決め手段４（センターボス５）によって保持され、横ズレすることがないので、コンピューター１０５の作業進行は、ディスク１００を仮置きさせたり、取り上げたりすることのためにいちいち中断させる必要がなく、煩わしさがない。
【００１７】
トレー部３には、記録面１０１の外周側非記録領域を支持し得る対応位置（トレー部３の外周寄り）でリング形のリブ状に突出した支持台部１０と、記録面１０１の中央側非記録領域を支持し得る対応位置（トレー部３の中央）で円形台状に突出した支持台部１１とが設けられている（図４参照）。
これら支持台部１０、１１はトレー部３の表面から同じ高さに形成されており、互いに共同してディスク１００を支持するようになっている。この支持状態で、記録面１０１はトレー部３上へ浮上状態に保持され、擦過傷が生じることはない。
【００１８】
上記位置決め手段４として採用されたセンターボス５は、図５に示すように、ディスク１００の中央孔１０３とガタツキ無く嵌合可能なサイズで形成されたものであって、トレー部３からの膨出高さＨは、嵌合状態とされた中央孔１０３から突出可能な寸法（突出量をｈとする）とされている。
このセンターボス５には、その中心部に押しボタン部１５が形成され、この押しボタン部１５のまわりに周溝１６が形成されている。そのため、この周溝１６のまわりを取り囲むようにしてリング形の堤部１７が生じるようになっている。
【００１９】
そして、この周溝１６の溝底から堤部１７を寸断後、更に径方向外方へ向けて支持台部１１まで延びるスリット１８が、押しボタン部１５を中心に放射状配置で複数本形成されている。
そのため、図６に示すように、押しボタン部１５を押すと、寸断された堤部１７が下方へ撓み、センターボス５が全体として中心部を窪ませるように弾性変形する。これによってセンターボス５が縮径するようになるので、このセンターボス５に嵌合状態にあるディスク１００の中央孔１０３が嵌合状態を解放されることになり、その結果、トレー部３上からディスク１００を取り上げることが可能になる。
【００２０】
なお、このようなセンターボス５の弾性変形を生じさせ易くするために、トレー部３の裏面（中央の支持台部１１に略相当する領域）を上側へ凹ますようにしておくとよい。
このようなディスク１００の取り上げ操作は、片手でも的確に行えるものである。なお、センターボス５に対してディスク１００の中央孔１０３を嵌める操作は、センターボス５と中央孔１０３とを位置合わせさせた状態でディスク１００を軽く押しこむようにするでだけでよい。
上記したように、センターボス５の膨出高さＨは、ディスク１００の中央孔１０３が嵌合された後も、この中央孔１０３から突出する寸法とされているが、このときの突出量ｈを吸収可能にさせるために、センターボス５の裏側には嵌合凹部２３が形成されている。
【００２１】
従って、図７に示すように、センターボス５にディスク１００の中央孔１０３が嵌合した状態のままでも、本考案に係るディスク１００カバー同士を密なる重ね合わせ状態で重ねることができる。このとき、各ディスク１００カバー間においてセンターボス５同士が干渉してガタツクといったことがなく、省スペース化に有益となる。
なお、本第１実施形態では、嵌合凹部２３の外周寄りに対して上萎み方向のテーパ面を形成させてある。
そのため、センターボス５の上周面が接触したときに両者間で求心作用が生じ、ディスク１００カバー同士が同心的に重ね合わされるようになる。また、この重ね合わせ状態下において互いに横ズレが生じないという利点が得られるものである。
【００２２】
ところで、本第１実施形態のディスクカバー１では、トレー部３に対し、外周側へ張り出した張出部２５を設けてある。この張出部２５は、例えば魚の鰭状に形成された小片としてあり、比較的に近接するような配置で互いに所定間隔をおいて２個設けてある。
これら張出部２５は、例えば図２に示すように、本考案に係るディスクカバー１を他の物（図例では机上に置いた書類ケース１１０とした）に立て掛けるような場合に、転がり防止の役目となったりする。また、ディスク１００をトレー部３に重ね合わせた状態において、両張出部２５の先端と、それらの中間に位置するディスク１００の外縁とが同一平面上にあるため、これら張出部２５は支脚の役目となったりする。
【００２３】
またこの張出部２５の形状、色、表示、形成数、配置などを適宜異ならせておけば、本考案に係るディスクカバー１同士を何枚も積み重ねるようにした場合、ディスクカバー１ごとのインデックスとして使用することもできる。
なお、ディスク１００を収納する袋部を備えた封筒状ディスク包装材も知られているが、ディスクカバー１は、ディスク１００と重ね合わせた状態のままで、封筒状ディスク包装材に収納させることができる。したがって、封筒状ディスク包装材の袋部内部に塵埃、砂等があっても、ディスク１００の記録面１０１を傷つけることはない。
［第２実施形態］
図８は、本考案に係るディスクカバー１の第２実施形態を示している。本第２実施形態のディスクカバー１は、センターボス５に対して係合手段３０が設けられている点で、唯一、第１実施形態と異なっている。
【００２４】
この係合手段３０は、センターボス５にディスク１００の中央孔１０３が嵌められたときに、この中央孔１０３から突出する部分（ボス上端）と、センターボス５の裏側に形成された嵌合凹部２３との間で形成される。
図例では、センターボス５の堤部１７に対し、その上周内縁部でダボ状に突設された係合凸部３１と、センターボス５の周溝１６に対し、その下面外周部でダボ孔状に凹設された係合凹部３２とが、互いに係脱自在とされることで、係合手段３０が構成されるものとしてある。
【００２５】
係合凸部３１及び係合凹部３２は、それぞれ、周方向の複数箇所に均等間隔で複数設けるようにしておくとよい。また係合凸部３１をリング状の突出物とし、係合凹部３２をリング状の溝として形成させることも可能である。このように、係合凸部３１や係合凹部３２の形状、形成数、配置は何ら限定されるものではない。
また、係合凸部３１及び係合凹部３２は、互いの相対的位置関係も逆にすることができる（即ち、堤部１７の上周内縁部に係合凹部３２を設け、周溝１６の下面外周部に係合凸部３１を設けるようにすることが可能）。
【００２６】
このような係合手段３０を採用すると、センターボス５にディスク１００の中央孔１０３が嵌合した状態のまま、本考案に係るディスクカバー１同士を重ねた場合、各ディスクカバー１を一時的に係合一体化させるといった使い方ができ、便利である。
図２では机上の左方寄りに、複数枚のディスクカバー１を係合一体化させたものを置いた様子を示してある。
なお、このような使い方をする場合、個々のディスクカバー１において張出部２５を同位置で合致させるように揃えると、この張出部２５が転がり防止や支脚として有益に利用できることになる。
［その他の実施形態］
トレー部３は、図９に示すように正方形状に形成することも可能であるし、図１０に示すように六角形状に形成することも可能である。勿論、トレー部３は、その他の形状（例えば楕円形や長円形、四角形や六角形以外の多角形など）に形成することも可能である。
【００２７】
なお、トレー部３をディスク１００よりも大きな形体とする場合、ディスク１００を重ね合わせた状態でディスク１００から外方へはみ出すようになる部分（平面視して露出する部分であって、張出部２５にあたる）を利用して、上部に重ね合わせたディスク１００の厚みを超えて突出する表側係合部４０と、この表側係合部４０に対して係脱自在となる裏側係合部４１（要するにトレー部３の裏側で孔、凹部又はスリット部等として形成されているもの）とを設けるようにしてもよい。
これら表側係合部４０と裏側係合部４１とによる係合関係は、上記したセンターボス５同士の間で設ける係合手段３０（図８参照）に対する代用として、又は並行して採用できるものである。
【００２８】
これら表側係合部４０と裏側係合部４１とによる係合関係は、本考案に係るディスクカバー１同士を重ねた場合に、各ディスクカバー１を回り止めできるという利点が得られる（なお、上記した第２実施形態の係合手段３０でもこの回り止めの利点を得られる場合はあるが、係合手段３０では、係合凸部３１をリング状の突出物とし係合凹部３２をリング状の溝とすることを含んでいるため、確実に得られる利点とは言えない）。
従って、本実施形態のディスクカバー１では、トレー部３の外周側へ張り出す張出部２５を別途設けなくとも、転がり防止等の作用が得られることになる。勿論、トレー部３の外周部自体でインデックスとしての作用を持たせることも可能である。
【００２９】
本考案は、上記各実施形態の他、実施の形態に応じて適宜変更可能である。
例えば位置決め手段４は、センターボス５以外（ディスク１００の外周部に当接するようなもの）とすることもできる。
【図面の簡単な説明】
【００３０】
【図１】本考案に係るディスクカバーの第１実施形態を示した斜視図である。
【図２】第１実施形態及び第２実施形態のディスクカバーにおける使用例を示した斜視図である。
【図３】第１実施形態のディスクカバーを示した正面図である。
【図４】図１のＡ−Ａ線断面図である。
【図５】第１実施形態のディスクカバーに対しディスクを重ね合わせたときのセンターボスまわりを拡大して示した側断面図である。
【図６】図５の状態からディスクを取り上げる場合の操作状況を示した側断面図である。
【図７】第１実施形態のディスクカバーにディスクを重ね合わせたまま更に他のディスクカバーと重ねた状況を拡大して示した側断面図である。
【図８】本考案に係るディスクカバーの第２実施形態についてその主要部を拡大して示した側断面図である。
【図９】本考案に係るディスクカバーの第３実施形態を示した平面図である。
【図１０】本考案に係るディスクカバーの第４実施形態を示した平面図である。
【符号の説明】
【００３１】
１  ディスクカバー
３  トレー部
４  位置決め手段
５  センターボス
１０  支持台部
１１  支持台部
２３  嵌合凹部
２５  張出部
３０  係合手段
４０  表側係合部
４１  裏側係合部
１００  ディスク（円板型記録メディア）
１０１  記録面
１０３  中央孔
【図１】
0003142107.tif 000003
【図２】
0003142107.tif 000004
【図３】
0003142107.tif 000005
【図４】
0003142107.tif 000006
【図５】
0003142107.tif 000007
【図６】
0003142107.tif 000008
【図７】
0003142107.tif 000009
【図８】
0003142107.tif 000010
【図９】
0003142107.tif 000011
【図１０】
0003142107.tif 000012